(57)【要約】【課題】装置の小型化を図ることができる眼科装置、および被写体に動的変化を与えることができる撮影装置を提供すること。【解決手段】眼科装置は、被検眼の眼圧を測定する非接触式の眼圧測定部と、被検眼の光学特性を測定する眼特性測定部と、を備える。眼圧測定部は、眼圧測定部および眼特性測定部の少なくともいずれかに設けられた光源から出射された光および被検眼で反射された光を透過する対物レンズ４１ｈと、対物レンズ４１ｈの周囲に設けられた環状の吹付口３４１ｂから被検眼に向かって流体を吹き付け被検眼の角膜を圧平させるノズル３４ｂを有する流体吹付機構３４と、を有する。【選択図】図４
2020146095.tif 000002
【特許請求の範囲】
【請求項１】
被検眼の眼圧を測定する非接触式の眼圧測定部と、
前記被検眼の光学特性を測定する眼特性測定部と、
を備え、
前記眼圧測定部は、
前記眼圧測定部および前記眼特性測定部の少なくともいずれかに設けられた光源から出射された光および前記被検眼で反射された光を透過する対物レンズと、
前記対物レンズの周囲に設けられた環状の吹付口から前記被検眼に向かって流体を吹き付け前記被検眼の角膜を圧平させるノズルを有する流体吹付機構と、
を有することを特徴とする眼科装置。
【請求項２】
前記流体吹付機構は、前記吹付口から前記被検眼に向かって流出する前記流体に対して前記対物レンズの光軸の回りに螺旋状の流れを形成することを特徴とする請求項１に記載の眼科装置。
【請求項３】
前記眼圧測定部に設けられ前記眼圧を測定する眼圧光学系は、前記眼特性測定部に設けられ前記光学特性を測定する眼特性光学系と同一であることを特徴する請求項１または２に記載の眼科装置。
【請求項４】
前記眼圧測定部および前記眼特性測定部の少なくともいずれかは、
前記環状の前記吹付口の外側に設けられ前記角膜に投影される指標光を出射する発光部と、
前記環状の前記吹付口の外側に設けられ、前記角膜に投影された前記指標光が前記角膜で反射した反射光を受光し、前記角膜の圧平状態を検出するとともに前記角膜の形状を検知する受光部と、
を有することを特徴とする請求項１〜３のいずれか１項に記載の眼科装置。
【請求項５】
被写体を接写可能な撮影装置であって、
前記被写体を撮影する光学系を有する撮影部を備え、
前記撮影部は、
前記被写体で反射された光を透過する対物レンズと、
前記対物レンズの周囲に設けられた環状の吹付口から前記被写体に向かって流体を吹き付け前記被写体に動的変化を与えるノズルを有する流体吹付機構と、
を有することを特徴とする撮影装置。
【請求項６】
前記流体吹付機構は、前記吹付口から前記被写体に向かって流出する前記流体に対して前記対物レンズの光軸の回りに螺旋状の流れを形成することを特徴とする請求項５に記載の撮影装置。
【発明の詳細な説明】
【技術分野】
【０００１】
本発明は、被検眼の眼圧を測定する眼圧測定部と被検眼の光学特性を測定する眼特性測定部とを備えた複合型の眼科装置、および被写体を接写可能な撮影装置に関する。
【背景技術】
【０００２】
特許文献１には、被検眼眼底撮影手段と、眼圧測定手段と、を備えた複合型の眼科装置が開示されている。また、特許文献２には、前眼部撮影系と、眼検査系と、ノズルを介して被検眼に流体を噴出する加圧系と、眼圧測定系と、を有する複合型の眼科装置が開示されている。また、特許文献３には、眼特性測定部の上に、眼圧測定部が積層配置された測定ユニットを備え、被検眼の光学特性と眼圧との両方を測定可能な複合型の眼科装置が開示されている。
【０００３】
特許文献１〜３に記載されたような眼圧測定部と眼特性測定部とを備えた複合型の眼科装置においては、対物レンズなどの光学系にノズルを通すための穴を開ける必要があったり（例えば特許文献１）、検査時にノズルや光学系を移動させる駆動部を設ける必要があったり（例えば特許文献２）、眼圧測定モードと眼特性測定モードとを切り換える際に測定ユニットを被検眼に対して上下方向に移動させる移動制御手段を設ける必要があったりする（例えば特許文献３）。
【０００４】
しかし、そうすると、眼圧測定部の光学系と、眼特性測定部の光学系と、を共用させることが困難であり、互いに異なる光学系を設ける必要がある。そのため、被検眼の眼圧を測定する眼圧測定部と、被検眼の光学特性を測定する眼特性測定部と、を備えた複合型の眼科装置が大掛かりになり、眼科装置の小型化を図ることが困難であるという問題がある。
【０００５】
また、被検眼の前眼部画像や涙液画像を撮影する眼科装置において、被検眼の近傍に存在するまつげが前眼部画像や涙液画像に写し込まれることがある。そうすると、前眼部画像や涙液画像を正確に撮影することが困難であり、前眼部や涙液を正確に検査することが困難になるという問題がある。そこで、まつげ等の異物が前眼部画像や涙液画像に写し込まれることを抑えることが望まれている。さらに、眼、顔、花、昆虫などの被写体を接写可能な撮影装置において、撮影中に被写体に対して動的変化を与え、例えば動作中の被写体や躍動感のある被写体を撮影することが望まれている。
【先行技術文献】
【特許文献】
【０００６】
【特許文献１】特開平７−１９４５５７号公報
【特許文献２】特開平６−４７００３号公報
【特許文献３】特許第５０２８０５７号公報
【発明の概要】
【発明が解決しようとする課題】
【０００７】
本発明は、前記課題を解決するためになされたものであり、装置の小型化を図ることができる眼科装置、および被写体に動的変化を与えることができる撮影装置を提供することを目的とする。
【課題を解決するための手段】
【０００８】
前記課題は、被検眼の眼圧を測定する非接触式の眼圧測定部と、前記被検眼の光学特性を測定する眼特性測定部と、を備え、前記眼圧測定部は、前記眼圧測定部および前記眼特性測定部の少なくともいずれかに設けられた光源から出射された光および前記被検眼で反射された光を透過する対物レンズと、前記対物レンズの周囲に設けられた環状の吹付口から前記被検眼に向かって流体を吹き付け前記被検眼の角膜を圧平させるノズルを有する流体吹付機構と、を有することを特徴とする本発明に係る眼科装置により解決される。
【０００９】
本発明に係る眼科装置によれば、被検眼の眼圧を測定する非接触式の眼圧測定部と、被検眼の光学特性を測定する眼特性測定部と、を備える眼科装置において、流体吹付機構のノズルは、対物レンズの周囲に設けられた環状の吹付口から被検眼に向かって流体を吹き付け被検眼の角膜を圧平させる。そのため、対物レンズなどの光学系にノズルを通すための穴を開ける必要がない。そのため、眼圧測定部の光学系と、眼特性測定部の光学系と、を共用させることが可能である。また、眼圧測定部と眼特性測定部とを積層配置させる必要がなく、被検眼の測定時にノズルや光学系全体を移動させる駆動部を設ける必要がない。これにより、眼科装置の小型化を図ることができる。
【００１０】
本発明に係る眼科装置において、好ましくは、前記流体吹付機構は、前記吹付口から前記被検眼に向かって流出する前記流体に対して前記対物レンズの光軸の回りに螺旋状の流れを形成することを特徴とする。
【００１１】
本発明に係る眼科装置によれば、流体吹付機構は、対物レンズの光軸の回りに螺旋状の流れを有する流体を吹付口から被検眼に向かって流出させることで、角膜の略中心に流体を集中的に吹き付けることができる。これにより、流体吹付機構は、被検眼の角膜をより確実に圧平させることができる。
【００１２】
本発明に係る眼科装置において、好ましくは、前記眼圧測定部に設けられ前記眼圧を測定する眼圧光学系は、前記眼特性測定部に設けられ前記光学特性を測定する眼特性光学系と同一であることを特徴する。
【００１３】
本発明に係る眼科装置によれば、眼圧測定部の眼圧光学系が眼特性測定部の眼特性光学系と同一であるため、眼科装置のさらなる小型化を図ることができる。
【００１４】
本発明に係る眼科装置において、好ましくは、前記眼圧測定部および前記眼特性測定部の少なくともいずれかは、前記環状の前記吹付口の外側に設けられ前記角膜に投影される指標光を出射する発光部と、前記環状の前記吹付口の外側に設けられ、前記角膜に投影された前記指標光が前記角膜で反射した反射光を受光し、前記角膜の圧平状態を検出するとともに前記角膜の形状を検知する受光部と、を有することを特徴とする。
【００１５】
本発明に係る眼科装置によれば、被検眼の角膜に投影される指標光を出射する発光部と、指標光が被検眼の角膜で反射した反射光を受光する受光部と、をノズルの環状の吹付口の外側に配置させるとともに、被検眼の角膜の圧平状態を検出する光学系と、被検眼の角膜の形状を検知する光学系と、において共用させることができる。これにより、眼科装置のさらなる小型化を図ることができる。
【００１６】
前記課題は、被写体を接写可能な撮影装置であって、前記被写体を撮影する光学系を有する撮影部を備え、前記撮影部は、前記被写体で反射された光を透過する対物レンズと、  前記対物レンズの周囲に設けられた環状の吹付口から前記被写体に向かって流体を吹き付け前記被写体に動的変化を与えるノズルを有する流体吹付機構と、を有することを特徴とする本発明に係る撮影装置により解決される。
【００１７】
本発明に係る撮影装置によれば、流体吹付機構のノズルは、対物レンズの周囲に設けられた環状の吹付口から被写体に向かって流体を吹き付け被写体に動的変化を与える。そのため、まつげ等の異物が前眼部画像や涙液画像に写し込まれることを抑えることができる。これにより、前眼部画像や涙液画像を正確に撮影することが可能であり、前眼部や涙液を正確に検査することができる。また、本発明に係る撮影装置は、被写体に向かって流体を吹き付け被写体に動的変化を与えているときに被写体を接写することで、例えば動作中の被写体や躍動感のある被写体を撮影することができる。
【００１８】
本発明に係る撮影装置において、好ましくは、前記流体吹付機構は、前記吹付口から前記被写体に向かって流出する前記流体に対して前記対物レンズの光軸の回りに螺旋状の流れを形成することを特徴とする。
【００１９】
本発明に係る撮影装置によれば、流体吹付機構は、対物レンズの光軸の回りに螺旋状の流れを有する流体を吹付口から被写体に向かって流出させることで、被写体に対して流体を集中的に吹き付けることができる。これにより、流体吹付機構は、被写体に対して動的変化をより確実に与えることができる。
【発明の効果】
【００２０】
本発明によれば、装置の小型化を図ることができる眼科装置、および被写体に動的変化を与えることができる撮影装置を提供することができる。
【図面の簡単な説明】
【００２１】
【図１】本発明の実施形態に係る眼科装置を表す側面図である。
【図２】本実施形態の眼圧測定部および眼特性測定部の光学系の要部構成を表す上面図である。
【図３】本実施形態の眼圧測定部および眼特性測定部の光学系の要部構成を表す側面図である。
【図４】本実施形態の気流吹付機構を表す斜視図である。
【図５】図４に表した切断面Ａ１１−Ａ１１における断面図である。
【図６】本実施形態の気流吹付機構が被検眼の角膜に気流を吹き付ける状態を表す側面図である。
【図７】本実施形態の気流吹付機構が被検眼の角膜に気流を吹き付ける状態を表す斜視図である。
【図８】本実施形態に係る撮影装置を説明する側面図である。
【発明を実施するための形態】
【００２２】
以下に、本発明の好ましい実施形態を、図面を参照して詳しく説明する。
なお、以下に説明する実施形態は、本発明の好適な具体例であるから、技術的に好ましい種々の限定が付されているが、本発明の範囲は、以下の説明において特に本発明を限定する旨の記載がない限り、これらの態様に限られるものではない。また、各図面中、同様の構成要素には同一の符号を付して詳細な説明は適宜省略する。
【００２３】
図１は、本発明の実施形態に係る眼科装置を表す側面図である。
図２は、本実施形態の眼圧測定部および眼特性測定部の光学系の要部構成を表す上面図である。
図３は、本実施形態の眼圧測定部および眼特性測定部の光学系の要部構成を表す側面図である。
【００２４】
まず、本発明の実施形態に係る眼科装置１０の全体構成を、図１を用いて説明する。眼科装置１０は、図１に示すように、被検眼Ｅ（図２等参照）の眼圧を測定する眼圧測定部２０と、被検眼Ｅのその他の光学特性（眼特性）を測定する眼特性測定部４０と、を備える複合型の眼科装置である。被検眼Ｅについては、図２および図３では、眼底（網膜）Ｅｆ、角膜（前眼部）Ｅｃおよび角膜頂点Ｅａを示している。眼科装置１０は、ベース１１に駆動部１２を介して装置本体部１３が設けられて構成されている。装置本体部１３の内方には眼圧測定部２０および眼特性測定部４０が設けられ、装置本体部１３の外方には表示部１４、顎受部１５および額当部１６が設けられている。
【００２５】
表示部１４は、液晶ディスプレイで形成されており、後述する制御部３３（図２参照）の制御下で、被検眼Ｅの前眼部像等の画像や検査結果等を表示させる。表示部１４は、本実施形態では、タッチパネルの機能を搭載しており、眼圧測定部２０または眼特性測定部４０を用いて測定を行うための操作や、手動により装置本体部１３を移動するための操作を行うことが可能とされている。また、表示部１４は、タッチパネルの機能を利用して、眼特性測定モード（眼特性測定部４０による測定モード）と眼圧測定モード（眼圧測定部２０による測定モード）のそれぞれにおいて切替アイコンを表示し、検者が切替アイコンに触れることにより眼特性測定モードと眼圧測定モードとの切り替え操作を可能としている。なお、測定を行うための操作は、測定スイッチを設けて、測定スイッチの操作により行うものであってもよい。また、装置本体部１３を移動するための操作は、コントロールレバーや移動操作スイッチを設けて、コントロールレバーや移動操作スイッチの操作により行うものであってもよい。
【００２６】
顎受部１５および額当部１６は、測定時に装置本体部１３に対して被検者（患者）の顔、すなわち被検眼Ｅの位置を固定するものであり、ベース１１に固定されて設けられている。顎受部１５は、被検者が顎を載せる箇所となり、額当部１６は、当該被検者が額を宛がう箇所となる。眼科装置１０では、表示部１４と、顎受部１５および額当部１６と、が、装置本体部１３を挟んだ両側に設けられており、通常の使用時において、表示部１４が検者の側となり、顎受部１５および額当部１６が被検者の側となる。表示部１４は、装置本体部１３に回転自在に支持されており、表示面の向きを変更すること、例えば、表示面を被検者側に向けることや、表示面を側方（Ｘ軸方向）に向けることが可能とされている。装置本体部１３は、駆動部１２により、ベース１１に対して移動すること、すなわち顎受部１５と額当部１６とにより固定された被検眼Ｅ（被検者の顔）に対して移動することが可能とされている。
【００２７】
駆動部１２は、装置本体部１３をベース１１に対して、上下方向（Ｙ軸方向）と、前後方向（Ｚ軸方向（図１を正面視して左右方向））と、上下方向および前後方向に直交する左右方向（Ｘ軸方向（図１の紙面に直交する方向））と、に移動させる。なお、本実施形態では、上下方向の上側をＹ軸方向の正側とし、前後方向の被検者側（図１を正面視して右側）をＺ軸方向の正側とし、左右方向において図１を正面視して手前側をＸ軸方向の正側とする（図１の矢印参照）。本実施形態では、駆動部１２は、Ｙ軸駆動部分１２ａとＺ軸駆動部分１２ｂとＸ軸駆動部分１２ｃとを有する。
【００２８】
Ｙ軸駆動部分１２ａは、ベース１１に設けられており、Ｚ軸駆動部分１２ｂおよびＸ軸駆動部分１２ｃを介して、ベース１１に対して装置本体部１３をＹ軸方向（上下方向）へと移動（変位）させる。換言すると、Ｙ軸駆動部分１２ａは、駆動部１２において、装置本体部１３をＹ軸方向（上下方向）へと移動させるための箇所となる。Ｙ軸駆動部分１２ａは、支持支柱１２ｄとＹ軸移動枠１２ｅとを有する。支持支柱１２ｄは、ベース１１に固定されて設けられており、ベース１１からＹ軸方向へと伸びて設けられている。Ｙ軸移動枠１２ｅは、支持支柱１２ｄを取り囲むことが可能な枠形状とされており、図示を略すＹ軸ガイド部材を介してＹ軸方向への相対的な移動が可能に支持支柱１２ｄに取り付けられている。
【００２９】
Ｙ軸移動枠１２ｅでは、図示は略すが、支持支柱１２ｄとの間に弾性部材が設けられており、弾性部材から上方へ向けて押す力が付与されている。弾性部材は、本実施形態では、螺旋状とされた線材により構成され、無負荷状態において最も縮み、一端と他端とを離間させる動作に抗する弾性力を発揮する引張バネを用いている。すなわち、Ｙ軸移動枠１２ｅは、弾性部材により支持支柱１２ｄに対して吊り下げる構成とされている。Ｙ軸移動枠１２ｅは、Ｙ軸ガイド部材により支持支柱１２ｄ（ベース１１）に対する相対的な移動方向がＹ軸方向に規定された状態で、弾性部材を介して支持支柱１２ｄ（ベース１１）に支持されている。なお、弾性部材は、支持支柱１２ｄ（ベース１１）に対してＹ軸方向へと押す力をＹ軸移動枠１２ｅに付与して当該Ｙ軸移動枠１２ｅを支持するものであれば、圧縮バネを用いるものであってもよく、その他の構成であってもよく、本実施形態に限定されるものではない。圧縮バネは、螺旋状とされた線材により構成され、無負荷状態において最も伸びて、一端と他端とを接近させる動作に抗する弾性力を発揮するものである。圧縮バネを用いる場合、支持支柱１２ｄもしくはベース１１が当該圧縮バネを介してＹ軸移動枠１２ｅを下から支える構成とすればよい。
【００３０】
Ｙ軸駆動部分１２ａには、支持支柱１２ｄに対してＹ軸移動枠１２ｅをＹ軸方向へと移動させる移動力を付与する駆動力伝達機構が設けられている。Ｙ軸駆動部分１２ａでは、上方への移動力を駆動力伝達機構からＹ軸移動枠１２ｅに付与することでＹ軸移動枠１２ｅを弾性部材が釣り合う位置からＹ軸方向正側へと移動させ、下方への移動力を駆動力伝達機構からＹ軸移動枠１２ｅに付与することでＹ軸移動枠１２ｅを弾性部材が釣り合う位置からＹ軸方向負側へと移動させる。
【００３１】
Ｚ軸駆動部分１２ｂは、Ｙ軸移動枠１２ｅ（Ｙ軸駆動部分１２ａ）に設けられており、Ｘ軸駆動部分１２ｃを介して、Ｙ軸駆動部分１２ａすなわちベース１１に対して装置本体部１３をＺ軸方向（前後方向）へと移動（変位）させる。換言すると、Ｚ軸駆動部分１２ｂは、駆動部１２において、装置本体部１３をＺ軸方向（前後方向）へと移動させるための箇所となる。Ｚ軸駆動部分１２ｂは、Ｚ軸支持台１２ｆとＺ軸移動台１２ｇとを有する。Ｚ軸支持台１２ｆは、Ｙ軸移動枠１２ｅに固定されて設けられており、Ｙ軸移動枠１２ｅと共にＹ軸方向へと移動される。Ｚ軸支持台１２ｆは、図示を略すＺ軸ガイド部材を介してＺ軸方向への相対的な移動が可能にＺ軸移動台１２ｇを支持している。Ｚ軸駆動部分１２ｂには、Ｚ軸支持台１２ｆに対してＺ軸移動台１２ｇをＺ軸方向へと移動させる移動力を付与する駆動力伝達機構が設けられている。Ｚ軸駆動部分１２ｂでは、Ｚ軸方向への移動力を駆動力伝達機構からＺ軸移動台１２ｇに付与することで、Ｚ軸移動台１２ｇを適宜Ｚ軸方向へと移動させる。
【００３２】
Ｘ軸駆動部分１２ｃは、Ｚ軸移動台１２ｇ（Ｚ軸駆動部分１２ｂ）に設けられており、Ｚ軸駆動部分１２ｂすなわちベース１１に対して装置本体部１３をＸ軸方向（左右方向）へと移動（変位）させる。換言すると、Ｘ軸駆動部分１２ｃは、駆動部１２において、装置本体部１３をＸ軸方向（左右方向）へと移動させるための構成となる。Ｘ軸駆動部分１２ｃは、Ｘ軸支持台１２ｈとＸ軸移動台１２ｉとを有する。Ｘ軸支持台１２ｈは、Ｚ軸移動台１２ｇに固定されて設けられており、Ｚ軸移動台１２ｇと共にＺ軸方向へと移動される。Ｘ軸支持台１２ｈは、図示を略すＸ軸ガイド部材を介してＸ軸方向への相対的な移動が可能にＸ軸移動台１２ｉを支持している。Ｘ軸駆動部分１２ｃには、Ｘ軸支持台１２ｈに対してＸ軸移動台１２ｉをＸ軸方向へと移動させる移動力を付与する駆動力伝達機構が設けられている。Ｘ軸駆動部分１２ｃでは、Ｘ軸方向への移動力を駆動力伝達機構からＸ軸移動台１２ｉに付与することで、Ｘ軸移動台１２ｉを適宜Ｘ軸方向へと移動させる。Ｘ軸移動台１２ｉには、装置本体部１３の内方に設けられた眼圧測定部２０と眼特性測定部４０とが取り付けられた取付基板（図示せず）を介して装置本体部１３が固定されている。
【００３３】
このため、駆動部１２は、Ｙ軸駆動部分１２ａとＺ軸駆動部分１２ｂとＸ軸駆動部分１２ｃとを適宜駆動することにより、ベース１１に対して装置本体部１３を上下方向（Ｙ軸方向）、前後方向（Ｚ軸方向）、および左右方向（Ｘ軸方向）に適宜移動させることができる。なお、駆動部１２では、明確な図示は略すがＹ軸駆動部分１２ａとＺ軸駆動部分１２ｂとＸ軸駆動部分１２ｃとのそれぞれが、制御部３３（図２参照）に接続されており、制御部３３の制御下で駆動される。制御部３３は、眼科装置１０における電気制御系を構成するものであり、内蔵する記憶部に格納されたプログラムにより眼科装置１０の各部を統括的に制御する。
【００３４】
なお、図１では、理解容易とするために省略しているが、眼科装置１０では、全体の外形形状を形作るカバー部材が設けられており、ベース１１から駆動部１２を経て装置本体部１３までがカバー部材により覆われている。また、図１では、駆動部１２において、Ｙ軸駆動部分１２ａとＺ軸駆動部分１２ｂとＸ軸駆動部分１２ｃとをＹ軸方向に積層して示しているが、完全にＹ軸方向に分割されて構成されているものではなく、Ｙ軸方向に直交する方向で見ると各部が互いに重なり合うように構成されている。このため、駆動部１２すなわち眼科装置１０では、高さ寸法（Ｙ軸方向で見た大きさ寸法）の増大を防止しつつ、装置本体部１３をベース１１に対して適宜移動することが可能とされている。
【００３５】
装置本体部１３の内方には、眼圧測定部２０と眼特性測定部４０とが設けられている。眼特性測定部４０は、第１設定作動距離とされた第１測定部を構成し、眼圧測定部２０は、第１設定作動距離よりも短い第２設定作動距離とされた第２測定部を構成する。各作動距離は、それぞれの測定部による被検眼Ｅの測定を実行することを可能とする距離であり、各測定部の先端から被検眼Ｅまでの距離（間隔）で示される。眼圧測定部２０は、被検眼Ｅの眼圧を測定する際に用いられる。眼特性測定部４０は、被検眼Ｅの光学特性（眼特性）を測定するものであり、本実施形態では、被検眼Ｅの角膜Ｅｃの形状と被検眼Ｅの眼屈折力（球面度数、乱視度数、乱視軸角度等）とを測定する際に用いられる。
【００３６】
本実施形態に係る眼科装置１０では、装置本体部１３において、被検眼Ｅの眼圧を測定する眼圧測定部２０の光学系（眼圧光学系）は、被検眼Ｅの光学特性を測定する眼特性測定部４０の光学系（眼特性光学系）と共用されるとともに同一である。例えば、眼圧測定部２０と眼特性測定部４０とは、個別に分離して構成されるものではなく、眼圧測定部２０と眼特性測定部４０とにおいて一方の光学系の一部を他方の光学系に交差させることで、眼圧測定部２０と眼特性測定部４０との一部を互いに入り組ませて一体的な構成とされている。
【００３７】
次に、図２および図３を用いて、眼圧測定部２０および眼特性測定部４０の光学的な構成を説明する。まず、眼圧測定部２０の光学的な構成を説明する。眼圧測定部２０は、非接触式の眼圧計である。眼圧測定部２０は、図２および図３に示すように、前眼部観察光学系２１とＸＹアライメント指標投影光学系２２と固視標投影光学系２３と圧平検出光学系２４とＺアライメント指標投影光学系２５とＺアライメント検出光学系２６とを備える。
【００３８】
前眼部観察光学系２１は、被検眼Ｅの前眼部の観察およびＸＹアライメント（Ｘ−Ｙ平面に沿う方向におけるアライメント）をするために設けられている。前眼部観察光学系２１は、前眼部照明光源２１ａ（図２参照）が設けられるとともに、光軸Ｏ１上に、気流吹付ノズル３４ｂとハーフミラー２１ｄとハーフミラー２１ｅとハーフミラー２１ｇとリレーレンズ２１ｆと結像レンズ２１ｈとＣＣＤカメラ２１ｉとが設けられて構成されている。本実施形態の気流吹付ノズル３４ｂは、本発明の「ノズル」の一例である。前眼部照明光源２１ａは、対物レンズ４１ｈの周囲に位置されており（図２参照）、前眼部を直接照明すべく複数個（図２には２つのみ示す）設けられている。気流吹付ノズル３４ｂは、被検眼Ｅの前眼部に気流（すなわち流体）を吹き付けるためのノズルである。ＣＣＤカメラ２１ｉは、受光面に形成された画像（前眼部像等）に基づく画像信号を生成するものであり、生成した画像信号を制御部３３（図２参照）へと出力する。ＣＣＤカメラ２１ｉより取得された画像は、制御部３３の制御下で、表示部１４（図１参照）に適宜表示されるとともに、図示を略す外部機器へと適宜出力される。
【００３９】
ＣＣＤカメラ２１ｉは、図３に示すように、合焦駆動機構２１Ｄにより光軸Ｏ１に沿って移動可能とされている。合焦駆動機構２１Ｄは、制御部３３（図２参照）の制御下で、被検眼Ｅの前眼部（角膜Ｅｃ）にピントを合わせるべくＣＣＤカメラ２１ｉを適宜移動させる。合焦駆動機構２１Ｄでは、駆動源を後述する固視標投影光学系２３の固視標移動機構４１Ｄ（図３参照）と共用するものとしている。すなわち、駆動源は、眼圧測定モードにおいて合焦駆動機構２１Ｄを駆動させ、かつ眼特性測定モードにおいて固視標移動機構４１Ｄを駆動させる。制御部３３は、合焦駆動機構２１Ｄを介して、眼圧測定部２０すなわち装置本体部１３の位置に応じて、ＣＣＤカメラ２１ｉの光軸Ｏ１上での位置を変化させることにより、被検眼Ｅの前眼部（角膜Ｅｃ）にピントを合わせる。
【００４０】
制御部３３は、本実施形態では、光軸Ｏ１上における第１焦点位置ｆ１と第２焦点位置ｆ２との２つの位置で、合焦駆動機構２１Ｄを介してＣＣＤカメラ２１ｉを変位させることが可能とされている。合焦駆動機構２１Ｄを介したＣＣＤカメラ２１ｉの光軸Ｏ１上での移動は、第１焦点位置ｆ１と第２焦点位置ｆ２とで２段階に切り替えるものであってもよく、第１焦点位置ｆ１と第２焦点位置ｆ２との間を連続的に移動させるものであってもよい。
【００４１】
第１焦点位置ｆ１は、眼圧測定部２０（装置本体部１３）を、被検眼Ｅの眼圧の測定を実行することを可能とする位置すなわち被検眼Ｅの前眼部（角膜Ｅｃ）から第２設定作動距離とした際に、被検眼Ｅの前眼部（角膜Ｅｃ）にピントが合う位置とされている。被検眼Ｅの眼圧の測定を実行することを可能とする位置は、本実施形態では、気流吹付ノズル３４ｂの先端から被検眼Ｅまでの距離（間隔）すなわち第２設定作動距離を１１ｍｍとする位置に設定されている。
【００４２】
第２焦点位置ｆ２は、眼圧測定部２０（装置本体部１３）を、被検眼Ｅ（被検者）から十分に離した位置とした際に、被検眼Ｅの前眼部（角膜Ｅｃ）にピントが合う位置とされている。これは、眼圧測定モードにおいて、測定対象とする被検眼Ｅを被検者の左右眼で切り換える際、眼圧測定部２０（装置本体部１３）を、一方の眼圧を測定した位置から先ず後退（Ｚ軸方向負側）し、左右方向（Ｘ軸方向）へと移動して、他方の被検眼Ｅに近付く方向へと移動させながらアライメントを行うことによる。このような動作は、眼圧測定部２０の気流吹付ノズル３４ｂの先端が、誤って被検者（その鼻等）に接触することを防止するために行われる。
【００４３】
そして、制御部３３は、本実施形態では、ベース１１に対する装置本体部１３（眼圧測定部２０）の位置、すなわち駆動部１２のＺ軸駆動部分１２ｂによるＺ軸方向（前後方向）での制御位置に応じて、ＣＣＤカメラ２１ｉの位置を第１焦点位置ｆ１と第２焦点位置ｆ２とで切り替える。これは、眼圧測定部２０と被検眼Ｅとの間隔が、ベース１１に対する装置本体部１３（眼圧測定部２０）の位置によりおおまかに決定することによる。なお、合焦駆動機構２１Ｄは、駆動源を後述する固視標投影光学系２３の固視標移動機構４１Ｄ（図３参照）と共用するものとしていたが、後述する眼屈折力測定用リング状指標投影光学系４３（受光光学系４４）の指標移動機構４３Ｄ（図４参照）と駆動源を共用するものとしてもよく、本実施例に限定されるものではない。
【００４４】
前眼部観察光学系２１では、前眼部照明光源２１ａ（図２参照）で被検眼Ｅ（その前眼部）を照明しつつ、被検眼Ｅの前眼部像をＣＣＤカメラ２１ｉで取得する。前眼部像の光束は、対物レンズ４１ｈ、ハーフミラー２１ｄ、ハーフミラー２１ｇ、ハーフミラー２１ｅ、およびリレーレンズ２１ｆを透過し、結像レンズ２１ｈにより集束されて、ＣＣＤカメラ２１ｉの受光面上に形成される。ＣＣＤカメラ２１ｉ（前眼部観察光学系２１）は、形成された前眼部像の受光に基づく信号を制御部３３（図２参照）へと出力する。制御部３３は、ＣＣＤカメラ２１ｉ（前眼部観察光学系２１）で取得した前眼部像を表示部１４（図１参照）に適宜表示させる。このため、眼圧測定部２０における前眼部観察光学系２１は、眼圧測定部２０すなわち第２測定部における第２観察光学系として機能する。眼圧測定部２０（第２測定部）における前眼部観察光学系２１（第２観察光学系）は、眼特性測定部４０（第１測定部）における前眼部観察光学系２１（第１観察光学系）よりも高い倍率に設定されていてもよい。これは、眼圧測定部２０（第２測定部）では、被検眼Ｅの眼圧の測定結果がアライメントの精度の低下の影響を受けやすいことから、眼特性測定部４０（第１測定部）と比較してアライメントの精度を高めることが求められることによる。
【００４５】
また、前眼部観察光学系２１では、後述するようにＸＹアライメント指標投影光学系２２により被検眼Ｅに投影されたＸＹアライメント指標光の角膜Ｅｃによる反射光を、ＣＣＤカメラ２１ｉの受光面へと進行させる。詳細には、前眼部観察光学系２１では、反射光束を、対物レンズ４１ｈ、ハーフミラー２１ｄ、ハーフミラー２１ｇ、ハーフミラー２１ｅ、およびリレーレンズ２１ｆを透過させて結像レンズ２１ｈへと至らせる。そして、前眼部観察光学系２１では、反射光束を結像レンズ２１ｈで集束して、ＣＣＤカメラ２１ｉへと進行させる。すると、ＣＣＤカメラ２１ｉの受光面上には、装置本体部１３（眼圧測定部２０）と角膜ＥｃとのＸＹ方向の位置関係に応じた位置に輝点像が形成される。ＣＣＤカメラ２１ｉ（前眼部観察光学系２１）は、形成された輝点像の受光に基づく信号を制御部３３（図２参照）へと出力することができる。ＸＹアライメント指標光の輝点像は、被検眼Ｅの角膜Ｅｃ上に形成されるものである。このため、制御部３３は、輝点像が形成された前眼部（角膜Ｅｃ）の画像（そのデータ）を取得することができ、表示部１４に輝点像が形成された前眼部（角膜Ｅｃ）の画像を適宜表示させることができる。なお、表示部１４には、図示を略す画像生成手段によって生成されたアライメント補助マークも重ねて表示される。
【００４６】
ＸＹアライメント指標投影光学系２２は、指標光を被検眼Ｅの角膜Ｅｃに正面から投影する。指標光は、Ｘ−Ｙ平面に沿う方向（以下では、ＸＹ方向ともいう）で見た被検眼Ｅの前眼部（角膜Ｅｃ）の眼圧測定部２０に対する位置の調節、いわゆるＸＹ方向のアライメントを可能とする機能を有する。また、指標光は、被検眼Ｅの角膜Ｅｃの変形量（変形の度合（圧平））の検出を可能とする機能も有する。ＸＹアライメント指標投影光学系２２は、ＸＹアライメント用光源２２ａと集光レンズ２２ｂと開口絞り２２ｃとピンホール板２２ｄとダイクロイックミラー２２ｅと投影レンズ２２ｆとを有し、前眼部観察光学系２１とハーフミラー２１ｅを共用している。ＸＹアライメント用光源２２ａは、赤外光を出射する光源とされている。投影レンズ２２ｆは、ピンホール板２２ｄに焦点を一致させるように、ＸＹアライメント指標投影光学系２２の光路上に配置されている。ＸＹアライメント指標投影光学系２２では、ＸＹアライメント用光源２２ａから出射された赤外光が、集光レンズ２２ｂにより集束されつつ開口絞り２２ｃを通過して、ピンホール板２２ｄの穴部へと進行する。ＸＹアライメント指標投影光学系２２では、ピンホール板２２ｄの穴部を通過した光束を、ダイクロイックミラー２２ｅで反射して投影レンズ２２ｆへと進行させ、進行した赤外光を投影レンズ２２ｆで平行光束として、ハーフミラー２１ｅへと進行させる。そして、ＸＹアライメント指標投影光学系２２では、ハーフミラー２１ｅで反射することで平行光束を前眼部観察光学系２１の光軸Ｏ１上に進行させる。平行光束は、ハーフミラー２１ｇ、ハーフミラー２１ｄを透過して、気流吹付ノズル３４ｂの内部へと進行し、対物レンズ４１ｈを透過することでＸＹアライメント指標光として被検眼Ｅに至る。ＸＹアライメント指標光は、図示は略すが、角膜Ｅｃの角膜頂点Ｅａと角膜Ｅｃの曲率中心との中間位置に輝点像を形成するようにして角膜Ｅｃの表面で反射される。なお、開口絞り２２ｃは、投影レンズ２２ｆに関して角膜Ｅｃの角膜頂点Ｅａと共役な位置に設けられている。
【００４７】
固視標投影光学系２３は、被検眼Ｅに固視標を投影（提示）する。固視標投影光学系２３は、固視標用光源２３ａとピンホール板２３ｂとを有し、ＸＹアライメント指標投影光学系２２とダイクロイックミラー２２ｅおよび投影レンズ２２ｆを共用するとともに前眼部観察光学系２１とハーフミラー２１ｅを共用している。固視標用光源２３ａは、可視光を出射する光源とされている。固視標投影光学系２３では、固視標用光源２３ａから出射した固視標光をピンホール板２３ｂの穴部へと進行させ、ピンホール板２３ｂの穴部を通過しダイクロイックミラー２２ｅを透過させて、投影レンズ２２ｆへと進行させる。固視標光の光束は、投影レンズ２２ｆにより略平行光とされてハーフミラー２１ｅへと進行し、ハーフミラー２１ｅで反射されることで前眼部観察光学系２１の光軸Ｏ１上を進行する。固視標光の光束は、ハーフミラー２１ｇおよびハーフミラー２１ｄを透過して、気流吹付ノズル３４ｂの内部へと進行し、対物レンズ４１ｈを透過することで被検眼Ｅに至る。固視標投影光学系２３は、被検眼Ｅに投影した固視標を、被検者に固視目標として注視させることにより、被検者の視線を固定する。
【００４８】
圧平検出光学系２４は、図３に示すように、ＸＹアライメント指標投影光学系２２により被検眼Ｅに投影されたＸＹアライメント指標光の角膜Ｅｃによる反射光を受光して、角膜Ｅｃの表面の変形量（圧平）を検出する。圧平検出光学系２４は、レンズ２４ａ、ピンホール板２４ｂおよびセンサ２４ｃと、前眼部観察光学系２１の光路上に設けられたハーフミラー２１ｇと、を有する。レンズ２４ａは、角膜Ｅｃの表面のみが平らとされた際に、ＸＹアライメント指標光の角膜Ｅｃによる反射光を、ピンホール板２４ｂの中央の穴に集光させる。ピンホール板２４ｂは、レンズ２４ａによる上述した集光位置に、中央の穴を位置させて設けられている。センサ２４ｃは、光量検出の可能な受光センサであって、受光した光量に応じた信号を出力するものであり、本実施携帯ではフォトダイオードを用いる。センサ２４ｃ（圧平検出光学系２４）は、受光した光量に応じた信号を制御部３３に出力する。
【００４９】
上述したように、被検眼Ｅの角膜Ｅｃの表面（角膜表面）で反射されたＸＹアライメント指標光の反射光束は、対物レンズ４１ｈを透過し、ハーフミラー２１ｄを透過してハーフミラー２１ｇに至る。圧平検出光学系２４では、反射光束の一部をハーフミラー２１ｇで反射してレンズ２４ａへと進行させ、レンズ２４ａで集束して、ピンホール板２４ｂへと進行させる。ここで、被検眼Ｅでは、後述する気流吹付機構３４（図２および図３等参照）により気流吹付ノズル３４ｂの環状の吹付口３４１ｂから角膜Ｅｃに向けて気流を吹き付けられることで、角膜Ｅｃの表面が変形して徐々に平らな状態とされていく。そのとき、圧平検出光学系２４では、上述した設定により、角膜Ｅｃの表面が平らとされると進行してきた反射光束の全体がピンホール板２４ｂの穴を通してセンサ２４ｃに到達し、その他の状態ではピンホール板２４ｂで部分的に遮られつつセンサ２４ｃに到達する。このため、圧平検出光学系２４では、センサ２４ｃで受光した光量が最大となった時点を検出することにより、角膜Ｅｃの表面が平らとされたこと（圧平）を検知することができる。これにより、圧平検出光学系２４では、流体の吹き付けにより変形した角膜Ｅｃの表面の形状（圧平）を検出することができ、センサ２４ｃが角膜Ｅｃの圧平の検出のために角膜Ｅｃからの反射光（反射光束）を受光する受光部として機能する。
【００５０】
Ｚアライメント指標投影光学系２５は、図２に示すように、被検眼Ｅの角膜Ｅｃに、斜めからＺ軸方向のアライメント指標光（アライメント用指標平行光束）を投影する。Ｚアライメント指標投影光学系２５は、光軸Ｏ２上に、Ｚアライメント用光源２５ａと集光レンズ２５ｂと開口絞り２５ｃとピンホール板２５ｄと投影レンズ２５ｅとが設けられて構成されている。Ｚアライメント用光源２５ａは、赤外光（例えば波長８６０ｎｍ）を出射する光源とされている。開口絞り２５ｃは、投影レンズ２５ｅに関して角膜Ｅｃの角膜頂点Ｅａと共役な位置に設けられている。投影レンズ２５ｅは、ピンホール板２５ｄの穴部に焦点を一致させて配置されている。Ｚアライメント指標投影光学系２５では、Ｚアライメント用光源２５ａから出射された赤外光の光束が、集光レンズ２５ｂにより集光されつつ開口絞り２５ｃを通過してピンホール板２５ｄへと進行する。Ｚアライメント指標投影光学系２５では、ピンホール板２５ｄの穴部を通過した光束を投影レンズ２５ｅへと進行させ、投影レンズ２５ｅで平行光として角膜Ｅｃへと進行させる。その赤外光（その光束（Ｚアライメント指標光））は、被検眼Ｅの内方に位置する輝点像を形成するようにして、角膜Ｅｃの表面で反射される。
【００５１】
Ｚアライメント検出光学系２６は、Ｚアライメント指標光の角膜Ｅｃによる反射光を、前眼部観察光学系２１の光軸Ｏ１に対して対称な方向から受光して、装置本体部１３（眼圧測定部２０）と角膜ＥｃとのＺ軸方向での位置関係を検出する。Ｚアライメント検出光学系２６は、光軸Ｏ３上に、結像レンズ２６ａとシリンドリカルレンズ２６ｂとセンサ２６ｃとが設けられて構成されている。シリンドリカルレンズ２６ｂは、Ｙ軸方向にパワーを持つものとされている。センサ２６ｃは、受光面における受光位置を検出可能な受光センサであり、ラインセンサやＰＳＤを用いて構成することができ、本実施形態ではラインセンサを用いる。センサ２６ｃは、Ｚアライメント検出補正部３２に接続されている。
【００５２】
Ｚアライメント検出光学系２６では、Ｚアライメント指標投影光学系２５によりアライメント指標光が投影されて角膜Ｅｃの表面で反射された反射光束が、結像レンズ２６ａへと進行される。Ｚアライメント検出光学系２６では、反射光束を結像レンズ２６ａで集束し、シリンドリカルレンズ２６ｂへと進行させ、シリンドリカルレンズ２６ｂでＹ軸方向に集光してセンサ２６ｃ上に輝点像を形成する。センサ２６ｃは、Ｘ−Ｚ平面内において、Ｚアライメント指標投影光学系２５により被検眼Ｅの内方に形成された上述した輝点像と結像レンズ２６ａに関して共役な位置関係にあり、Ｙ−Ｚ平面内において、角膜頂点Ｅａと結像レンズ２６ａおよびシリンドリカルレンズ２６ｂに関して共役な位置関係にある。すなわち、センサ２６ｃは、開口絞り２５ｃと共役関係にあり（このときの倍率は開口絞り２５ｃの像がセンサ２６ｃの大きさより小さくなるように設定している）、Ｙ軸方向に角膜Ｅｃがずれたとしても角膜Ｅｃの表面における反射光束は効率良くセンサ２６ｃに入射する。センサ２６ｃ（Ｚアライメント検出光学系２６）は、形成された輝点像の受光に基づく信号を、Ｚアライメント検出補正部３２へと出力する。
【００５３】
気流吹付機構３４は、図３に示すように、空気通路部３４ａと、気流吹付ノズル３４ｂと、空気圧縮駆動部３４ｄ（図１参照）と、が設けられて構成されている。本実施形態の気流吹付機構３４は、本発明の「流体吹付機構」の一例である。空気圧縮駆動部３４ｄは、空気通路部３４ａの上流側において移動可能なピストンと、ピストンを移動させる駆動部と、を有し、本実施形態では、装置本体部１３において、眼圧測定部２０の光学系の上方に設けられている。空気圧縮駆動部３４ｄは、制御部３３（図２参照）の制御下で駆動されることで、図示しない空気圧縮室内の空気を圧縮する。空気通路部３４ａの一方の端部は空気圧縮駆動部３４ｄに接続され、空気通路部３４ａの他方の端部は気流吹付ノズル３４ｂに接続されている。例えば、気流吹付ノズル３４ｂは二重管構造を有しており、空気通路部３４ａの他方の端部は気流吹付ノズル３４ｂの二重管構造の部分に接続されている。これにより、気流吹付ノズル３４ｂに向かって空気通路部３４ａの内部を流れる空気は、気流吹付ノズル３４ｂの二重管構造の部分に導かれ、二重管構造の内部を通過する。また、空気通路部３４ａには、空気通路部３４ａを流れる空気の圧力を検出する圧力センサ３４ｃが設けられている。圧力センサ３４ｃは、図示は略すが制御部３３（図２参照）に接続されており、検出した圧力に応じた信号を制御部３３に出力する。気流吹付機構３４では、制御部３３の制御下で、空気圧縮駆動部３４ｄが空気を圧縮し、空気通路部３４ａを通して気流吹付ノズル３４ｂに導くことにより、図２および図３に表した矢印のように、気流吹付ノズル３４ｂの吹付口３４１ｂから被検眼Ｅの角膜Ｅｃに向けて気流を吹き付けることができる。また、気流吹付機構３４では、空気通路部３４ａの内部を流れる空気の圧力を圧力センサ３４ｃで検出することにより、気流吹付ノズル３４ｂの吹付口３４１ｂから気流を吹き付けた際の圧力を取得することが可能とされている。なお、気流吹付機構３４では、圧力センサ３４ｃを設けることに替えて、吹き付ける気流において、時間に対する圧力の変化が予め定められた特性とするものとしてもよい。
【００５４】
後述するように、気流吹付ノズル３４ｂの吹付口３４１ｂは、対物レンズ４１ｈの周囲に環状（リング状）に設けられ、空気圧縮駆動部３４ｄから空気通路部３４ａを通して導かれた空気を被検眼Ｅの角膜Ｅｃに向けて吹き付ける。ここで、空気通路部３４ａおよび気流吹付ノズル３４ｂの少なくともいずれかにおける空気の通路面（内壁面）には、細かい溝が形成されている。そのため、気流吹付ノズル３４ｂの吹付口３４１ｂから被検眼Ｅの角膜Ｅｃに向かって流出した空気は、対物レンズ４１ｈの光軸（すなわち前眼部観察光学系２１の光軸Ｏ１）の周りにおいて螺旋状に流れる。言い換えれば、気流吹付ノズル３４ｂの吹付口３４１ｂから被検眼Ｅの角膜Ｅｃに向かって流出した空気は、光軸Ｏ１の周りにおいてきりもみ状に流れる。さらに、言い換えれば、気流吹付ノズル３４ｂの吹付口３４１ｂから被検眼Ｅの角膜Ｅｃに向かって流出した空気は、光軸Ｏ１の周りを旋回しながら流れる。このように、気流吹付機構３４は、気流吹付ノズル３４ｂの吹付口３４１ｂから被検眼Ｅの角膜Ｅｃに向かって流出する空気に対して光軸Ｏ１の周りに螺旋状すなわちきりもみ状の流れを形成する。これにより、気流吹付ノズル３４ｂは、被検眼Ｅの角膜Ｅｃを圧平させることができる。
【００５５】
眼圧測定部２０は、前眼部照明光源２１ａとＸＹアライメント用光源２２ａと固視標用光源２３ａとＺアライメント用光源２５ａとの点灯制御を行うためのドライバ（駆動機構）を有し、ドライバに制御部３３（図２参照）が接続されている。このため、眼圧測定部２０では、制御部３３の制御下で、前眼部照明光源２１ａとＸＹアライメント用光源２２ａと固視標用光源２３ａとＺアライメント用光源２５ａとを適宜点灯させる。また、眼圧測定部２０では、上述したように、制御部３３の制御下で、合焦駆動機構２１Ｄを介してＣＣＤカメラ２１ｉを光軸Ｏ１上で適宜移動させ、かつＣＣＤカメラ２１ｉから出力された画像信号に基づく画像の生成処理を行い、かつその生成した画像を表示部１４に適宜表示させる。
【００５６】
次に、上述した眼圧測定部２０を用いて被検眼Ｅの眼圧を測定する際の概略的な動作について説明する。なお、眼圧測定部２０における下記の動作は、制御部３３（図２参照）の制御下で実行される。先ず、眼科装置１０の電源スイッチを投入し、表示部１４に眼圧測定部２０を用いて測定を行う旨の操作を行う。すると、眼圧測定部２０では、眼圧測定モードとした後、前眼部照明光源２１ａとＸＹアライメント用光源２２ａと固視標用光源２３ａとＺアライメント用光源２５ａとを適宜点灯させる。このとき、眼圧測定部２０では、各光源２１ａ、２３ａ、２５ａをそれぞれ異なる周期で点滅を繰り返させるものとし、いずれの光源からの光であるかの識別を可能としてもよい。
【００５７】
眼圧測定部２０では、図３に示すように、固視標投影光学系２３の固視標用光源２３ａを点灯することで、固視標を被検眼Ｅに投影して、被検眼Ｅを固視させるすなわち被検者の視線を固定する。また、眼圧測定部２０では、ＸＹアライメント指標投影光学系２２のＸＹアライメント用光源２２ａを点灯することで、平行光束を角膜Ｅｃに投影する。眼圧測定部２０では、角膜Ｅｃで反射された反射光束を、前眼部観察光学系２１のＣＣＤカメラ２１ｉと、圧平検出光学系２４のセンサ２４ｃと、により受光する。さらに、眼圧測定部２０では、図２に示すように、Ｚアライメント指標投影光学系２５のＺアライメント用光源２５ａを点灯することで、Ｚ軸方向のアライメント用の平行光束を角膜Ｅｃに投影する。眼圧測定部２０では、角膜Ｅｃで反射された反射光束を、Ｚアライメント検出光学系２６のセンサ２６ｃで受光する。
【００５８】
眼圧測定部２０では、前眼部観察光学系２１の前眼部照明光源２１ａを点灯することで、被検眼Ｅの前眼部を照明し、被検眼Ｅの前眼部像をＣＣＤカメラ２１ｉ上に結像させる。そして、眼圧測定部２０では、明確な図示は略すが、表示部１４に、ＸＹアライメント指標光の輝点像が形成された被検眼Ｅの前眼部像と、アライメント補助マークと、を表示させる。検者は、表示部１４を見ながら表示部１４に表示された操作部を操作することにより、装置本体部１３を上下左右に移動させて輝点像が表示部１４の画面内に映るようにアライメントを行う。また、眼圧測定部２０では、Ｚアライメント検出補正部３２が、Ｚアライメント検出光学系２６のセンサ２６ｃの受光信号とＸＹアライメント検出部３１の演算結果とに基づいて、装置本体部１３と角膜ＥｃのＺ軸方向の位置関係を演算する。眼圧測定部２０では、制御部３３の制御下で、前眼部観察光学系２１から得られるＸＹ方向での位置およびＺアライメント検出補正部３２から出力される演算結果に基づいて、駆動部１２すなわちＹ軸駆動部分１２ａとＺ軸駆動部分１２ｂとＸ軸駆動部分１２ｃとを適宜駆動することにより、ベース１１に対して装置本体部１３を上下方向（Ｙ軸方向）、前後方向（Ｚ軸方向）、および左右方向（Ｘ軸方向）に適宜移動させてオートアライメント（自動でのアライメントの調整）を行う。
【００５９】
眼圧測定部２０では、オートアライメントが完了すると、制御部３３が気流吹付機構３４を作動させて、気流吹付ノズル２１ｂの吹付口３４１ｂから被検眼Ｅの角膜Ｅｃに向けて気流を吹き付ける。すると、被検眼Ｅでは、角膜Ｅｃの表面が変形して徐々に平らな状態（圧平）とされていく。角膜Ｅｃが徐々に平らな状態（圧平）とされていく過程において、角膜Ｅｃの表面が平らと（圧平）されると圧平検出光学系２４のセンサ２４ｃでの受光量が最大となる。このため、眼圧測定部２０では、センサ２４ｃの受光量の変化に基づいて、角膜Ｅｃの表面が平らと（圧平）されたことを制御部３３が判断する。すなわち、圧平検出光学系２４（センサ２４ｃ）では、角膜Ｅｃの圧平を検出することができる。そして、眼圧測定部２０では、制御部３３が、圧力センサ３４ｃからの出力（吹き付けた気流の圧力）に基づいて、被検眼Ｅの眼圧を求め（眼圧値を算出し）、算出結果を表示部１４に表示させる。なお、制御部３３では、気流吹付ノズル２１ｂ（気流吹付機構３４）による気流の吹き付けを開始時点から角膜Ｅｃの表面が平らと（圧平）されたことを検知した時点までの時間に基づいて、被検眼Ｅの眼圧を求める（眼圧値を算出する）ものであってもよい。
【００６０】
次に、眼特性測定部４０の光学的な構成を説明する。眼特性測定部４０は、被検眼Ｅの角膜Ｅｃの形状と被検眼Ｅの眼屈折力（球面度数、乱視度数、乱視軸角度等）とを測定するものである。眼特性測定部４０は、図２および図３に示すように、眼屈折力測定用リング状指標投影光学系４３と受光光学系４４とを備え、前眼部観察光学系２１とＸＹアライメント指標投影光学系２２と固視標投影光学系２３とＺアライメント指標投影光学系２５とＺアライメント検出光学系２６とを眼圧測定部２０と共用している。固視標投影光学系２３は、被検眼Ｅを固視・雲霧させるために、被検眼Ｅの眼底Ｅｆ（図２、図３参照）に視標を投影する。眼屈折力測定用リング状指標投影光学系４３は、被検眼Ｅの眼屈折力を測定するために、眼屈折力測定用リング状指標としてのパターン光束を、被検眼Ｅの眼底Ｅｆに投影する。受光光学系４４は、被検眼Ｅの眼底Ｅｆから反射された眼屈折力測定用リング状指標像を後述する撮像素子４４ｄに受光させる。眼屈折力測定用リング状指標投影光学系４３および受光光学系４４は、前眼部観察光学系２１および後述する角膜形状測定用リング状指標投影光源４６ａと共に、角膜形状・眼屈折力測定光学系を構成する。
【００６１】
眼特性測定部４０における固視標投影光学系２３は、光軸Ｏ１１上に、図示しない指標板がさらに有する。指標板には、被検眼Ｅを固視・雲霧させるためのターゲットが設けられている。固視標用光源２３ａおよび指標板は、固視標ユニットを構成し、被検眼Ｅを固視・雲霧させるべく、固視標移動機構４１Ｄにより固視標投影光学系２３の光軸Ｏ１１に沿って一体に移動可能とされている。固視標投影光学系２３は、被検眼Ｅに投影したターゲット光束（固視標）を、被検者に固視目標として注視させることにより、被検者の視線を固定する。また、固視標投影光学系２３は、被検者に固視目標として注視させた状態から、ピントが合わない位置まで固視標ユニット（固視標用光源２３ａおよび指標板）を移動させることにより、被検眼Ｅを雲霧状態とする。
【００６２】
眼特性測定部４０における前眼部観察光学系２１では、アライメント完了後の屈折力測定時には、前眼部照明光源２１ａは消灯される。このため、眼特性測定部４０における前眼部観察光学系２１は、眼特性測定部４０すなわち第１測定部における第１観察光学系として機能する。眼特性測定部４０（第１測定部）における前眼部観察光学系２１（第１観察光学系）は、眼圧測定部２０（第２測定部）における前眼部観察光学系２１（第２観察光学系）よりも低い倍率に設定されていてもよい。これは、眼特性測定部４０（第１測定部）では、眼圧測定部２０（第２測定部）のようにはアライメントの精度を高めることが求められないことによる。
【００６３】
眼屈折力測定用リング状指標投影光学系４３は、眼屈折力測定用光源４３ａとレンズ４３ｂと円錐プリズム４３ｃとリング指標板４３ｄとレンズ４３ｅとバンドパスフィルタ４３ｆと瞳リング４３ｇと穴空きプリズム４３ｈとロータリープリズム４３ｉとを有し、固視標投影光学系２３とハーフミラー２１ｄおよび対物レンズ４１ｈを共用する。眼屈折力測定用光源４３ａと瞳リング４３ｇとは光学的に共役な位置に配置し、リング指標板４３ｄと被検眼Ｅの眼底Ｅｆとは光学的に共役な位置に配置している。また、眼屈折力測定用光源４３ａ、レンズ４３ｂ、円錐プリズム４３ｃおよびリング指標板４３ｄは、指標ユニット４３Ｕを構成し、指標ユニット４３Ｕは、指標移動機構４３Ｄにより眼屈折力測定用リング状指標投影光学系４３の光軸Ｏ１３に沿って一体に移動可能とされている。
【００６４】
眼屈折力測定用リング状指標投影光学系４３では、眼屈折力測定用光源４３ａから出射した光束をレンズ４３ｂで平行光束とし、円錐プリズム４３ｃを経てリング指標板４３ｄへと進行させる。光束は、リング指標板４３ｄに形成されたリング状のパターン部分を透過して眼屈折力測定用リング状指標としてのパターン光束とされる。眼屈折力測定用リング状指標投影光学系４３では、パターン光束をレンズ４３ｅ、バンドパスフィルタ４３ｆおよび瞳リング４３ｇを経て穴空きプリズム４３ｈへと進行させ、穴空きプリズム４３ｈの反射面により反射して、ロータリープリズム４３ｉを経てハーフミラー２１ｄへと進行させる。そして、眼屈折力測定用リング状指標投影光学系４３では、パターン光束をハーフミラー２１ｄで反射した後に眼特性測定部４０における光軸Ｏ１上に進行させる。そして、眼屈折力測定用リング状指標投影光学系４３では、パターン光束を、対物レンズ４１ｈにより被検眼Ｅの眼底Ｅｆ（図２、図３参照）に結像させる。
【００６５】
眼屈折力測定用リング状指標投影光学系４３には、気流吹付ノズル３４ｂの環状の吹付口３４１ｂの外側に角膜形状測定用リング状指標投影光源４６ａが設けられている。図２に表したでは、１つの角膜形状測定用リング状指標投影光源４６ａが設けられているが、角膜形状測定用リング状指標投影光源４６ａの数は、１つには限定されず、複数であってもよい。例えば、角膜形状測定用リング状指標投影光源４６ａの数は、２つであってもよく、４つであってもよい。例えば、角膜形状測定用リング状指標投影光源４６ａは、図示しないリングパターン上において被検眼Ｅ（角膜Ｅｃ）から所定の距離とされて光軸Ｏ１に関して同心状に設けられていてもよい。角膜形状測定用リング状指標投影光源４６ａは、被検眼Ｅ（角膜Ｅｃ）に角膜形状測定用リング状指標光を投影する。角膜形状測定用リング状指標光は、被検眼Ｅの角膜Ｅｃに投影されることで、角膜Ｅｃに角膜形状測定用リング状指標を形成する。角膜形状測定用リング状指標の光束は、被検眼Ｅの角膜Ｅｃで反射されることで、気流吹付ノズル３４ｂの環状の吹付口３４１ｂの外側に設けられた撮像素子４６ｂ上に結像される。このため、表示部１４において、角膜形状測定用リング状指標の像（画像）を表示させることができる。撮像素子４６ｂは、角膜Ｅｃの形状の測定のために角膜Ｅｃからの反射光（反射光束）を受光する受光部として機能する。
【００６６】
受光光学系４４は、穴空きプリズム４３ｈの穴部４４ａとミラー４４ｂとレンズ４４ｃと撮像素子４４ｄとを有し、固視標投影光学系２３と対物レンズ４１ｈおよびハーフミラー２１ｄを共用し、かつ眼屈折力測定用リング状指標投影光学系４３とロータリープリズム４３ｉを共用する。撮像素子４４ｄは、二次元固体撮像素子であり、本実施形態ではＣＣＤ（電荷結合素子）イメージセンサを用いている。撮像素子４４ｄは、眼屈折力測定用リング状指標投影光学系４３の指標移動機構４３Ｄにより、眼屈折力測定用リング状指標投影光学系４３の指標ユニット４３Ｕと連動して、受光光学系４４の光軸Ｏ１４に沿って移動可能とされている。
【００６７】
受光光学系４４では、眼屈折力測定用リング状指標投影光学系４３によって眼底Ｅｆ（図２、図３参照）に導かれ、眼底Ｅｆで反射されたパターン反射光束を、対物レンズ４１ｈにより集光し、ハーフミラー２１ｄで反射して、ロータリープリズム４３ｉへと進行させる。そして、受光光学系４４では、反射されたパターン反射光束を、ロータリープリズム４３ｉを経て穴空きプリズム４３ｈの穴部４４ａへと進行させて、穴部４４ａを通過させる。受光光学系４４では、穴部４４ａを通過したパターン反射光束を、ミラー４４ｂによって反射し、レンズ４４ｃにより撮像素子４４ｄの受光面上にパターン反射光束すなわち眼屈折力測定用リング状指標を結像させる。撮像素子４４ｄは、取得した画像に基づく画像信号を制御部３３（図２参照）に出力する。制御部３３は、入力された画像信号に基づいて、眼屈折力測定用リング状指標の画像を表示部１４（図１参照）に表示させる。このため、受光光学系４４では、撮像素子４４ｄ（その受光面）上に眼屈折力測定用リング状指標の像を形成することができ、表示部１４に眼屈折力測定用リング状指標の画像を表示させることができる。
【００６８】
眼特性測定部４０は、眼屈折力測定用光源４３ａと角膜形状測定用リング状指標投影光源４６ａとの点灯制御を行うためのドライバ（駆動機構）を有し、ドライバに制御部３３（図２参照）が接続されている。このため、眼特性測定部４０では、制御部３３の制御下で、眼屈折力測定用光源４３ａと角膜形状測定用リング状指標投影光源４６ａとが適宜点灯される。また、眼特性測定部４０では、上述したように、制御部３３の制御下で、固視標移動機構４１Ｄを介して固視標ユニットを光軸Ｏ１１に沿って一体に移動させ、指標移動機構４３Ｄを介して指標ユニット４３Ｕを光軸Ｏ１３に沿って一体に移動させるとともに撮像素子４４ｄを光軸Ｏ１４に沿って移動させる。さらに、眼特性測定部４０では、上述したように、制御部３３の制御下で、撮像素子４４ｄおよび撮像素子４６ｂから出力された画像信号に基づく画像の生成処理を行うとともに、生成した画像を表示部１４に適宜表示させる。
【００６９】
次に、上述した眼特性測定部４０を用いて被検眼Ｅの角膜Ｅｃの形状と被検眼Ｅの眼屈折力（球面度数、乱視度数、乱視軸角度等）とを測定する際の概略的な動作について説明する。なお、眼特性測定部４０における下記の動作は、制御部３３（図２参照）の制御下で実行される。先ず、眼科装置１０の電源スイッチを投入し、表示部１４に眼特性測定部４０を用いて測定を行う旨の操作を行う。すると、眼特性測定部４０では、眼特性測定モードとした後、前眼部観察光学系２１において、前眼部照明光源２１ａを点灯させて、表示部１４に前眼部（角膜Ｅｃ）の画像を表示させる。そして、検者は、表示部１４の画面内に被検眼Ｅの瞳孔Ｅｐが位置するように、表示部１４に表示された操作部を操作することにより、装置本体部１３を上下左右に移動させて被検眼Ｅに対する装置本体部１３の概略アライメントを行う。また、眼特性測定部４０（制御部３３）では、ＣＣＤカメラ２１ｉから出力された画像信号に基づく前眼部の画像から、瞳孔Ｅｐを検出することが可能とされている。瞳孔Ｅｐの検出は、例えば、前眼部の画像において、瞳孔Ｅｐとして認識すべき形状を予め記憶させておき、画像におけるコントラストに基づいて認識すべき形状を検出することにより行うことができる。このため、眼特性測定部４０では、例えば、測定の対象とする被検眼Ｅを左右で切り換える場合には、被検眼Ｅの左右の切り替えに応じて左右方向へと装置本体部１３を移動させつつ画像に基づき瞳孔Ｅｐを検出し、検出した瞳孔Ｅｐを目標位置として装置本体部１３（眼特性測定部４０）を移動させることで、上記した概略アライメントを自動で行うことができる。
【００７０】
すると、眼特性測定部４０では、ＸＹアライメント指標投影光学系２２によりアライメント指標像としての輝点像を表示部１４に表示させる。この後、眼特性測定部４０では、ＸＹアライメント指標投影光学系２２およびＺアライメント指標投影光学系２５に基づくアライメント検出を開始する。すなわち、眼特性測定部４０では、アライメント指標像としての輝点像をアライメントマーク内に位置させるように、ベース１１に対して装置本体部１３を上下方向（Ｙ軸方向）、前後方向（Ｚ軸方向）、および左右方向（Ｘ軸方向）に適宜移動させてオートアライメント（自動でのアライメントの調整）を行う。これにより、眼特性測定部４０では、装置本体部１３の被検眼Ｅの角膜Ｅｃの頂点に対する自動アライメントが完了する。
【００７１】
すると、眼特性測定部４０では、角膜形状測定用リング状指標投影光源４６ａを点灯して、角膜形状測定用リング状指標を角膜Ｅｃに投影する。そして、制御部３３では、表示部１４に表示させた画像（撮像素子４６ｂからの画像信号）に基づいて、角膜Ｅｃに投影された角膜形状測定用リング状指標の像から角膜Ｅｃの形状を測定する。角膜Ｅｃの形状の測定の詳細については、公知であるのでその説明は省略する。制御部３３は、眼屈折力としての球面度数、円柱度数、軸角度を周知の手法により測定することができる。なお、眼屈折力測定部の構成は、特開２００２−２５３５０６号公報に開示のものと同一であるが、この構成に限られるものではない。このように、制御部３３は、角膜形状の測定を実行すると共に、眼屈折力（光学特性）の測定を実行する。なお、制御部３３は、演算結果等を記憶部（図示を略す）に適宜格納する。
【００７２】
次に、本実施形態の気流吹付機構３４を、図４〜図７を参照して詳しく説明する。
図４は、本実施形態の気流吹付機構を表す斜視図である。
図５は、図４に表した切断面Ａ１１−Ａ１１における断面図である。
図６は、本実施形態の気流吹付機構が被検眼の角膜に気流を吹き付ける状態を表す側面図である。
図７は、本実施形態の気流吹付機構が被検眼の角膜に気流を吹き付ける状態を表す斜視図である。
なお、説明の便宜上、図４〜図７では、空気圧縮駆動部３４ｄを省略している。
【００７３】
図４および図５に表したように、本実施形態の気流吹付機構３４は、空気通路部３４ａと、気流吹付ノズル３４ｂと、を有する。空気通路部３４ａは、気流吹付ノズル３４ｂの二重管構造の部分に接続され、空気圧縮駆動部３４ｄ（図１参照）により圧縮された空気を気流吹付ノズル３４ｂの二重管構造の部分に導く。図６および図７に表した矢印のように、気流吹付ノズル３４ｂは、空気通路部３４ａを通して導かれた空気を吹付口３４１ｂから被検眼Ｅの角膜Ｅｃに向けて吹き付ける。
【００７４】
気流吹付ノズル３４ｂの内部には、対物レンズ４１ｈが設けられている。前述したように、対物レンズ４１ｈは、眼圧測定部２０および眼特性測定部４０の少なくともいずれかに設けられた各光源から出射された光を被検眼Ｅに向かって透過するとともに、被検眼Ｅで反射された光を眼圧測定部２０および眼特性測定部４０の少なくともいずれかに向かって透過する。
【００７５】
気流吹付ノズル３４ｂの吹付口３４１ｂは、対物レンズ４１ｈの周囲に環状（リング状）に設けられている。また、空気通路部３４ａおよび気流吹付ノズル３４ｂの少なくともいずれかにおける空気の通路面（内壁面）には、細かい溝が形成されている。そのため、図６および図７に表した矢印のように、気流吹付ノズル３４ｂの吹付口３４１ｂから被検眼Ｅの角膜Ｅｃに向かって流出した空気は、対物レンズ４１ｈの光軸（すなわち前眼部観察光学系２１の光軸Ｏ１）の周りにおいて螺旋状に流れる。言い換えれば、気流吹付ノズル３４ｂの吹付口３４１ｂから被検眼Ｅの角膜Ｅｃに向かって流出した空気は、光軸Ｏ１の周りにおいてきりもみ状に流れる。さらに、言い換えれば、気流吹付ノズル３４ｂの吹付口３４１ｂから被検眼Ｅの角膜Ｅｃに向かって流出した空気は、光軸Ｏ１の周りを旋回しながら流れる。このように、気流吹付機構３４は、気流吹付ノズル３４ｂの吹付口３４１ｂから被検眼Ｅの角膜Ｅｃに向かって流出する空気に対して光軸Ｏ１の周りに螺旋状すなわちきりもみ状の流れを形成する。これにより、気流吹付ノズル３４ｂは、被検眼Ｅの角膜Ｅｃを圧平させることができる。
【００７６】
前眼部照明光源２１ａは、気流吹付ノズル３４ｂの環状の吹付口３４１ｂの外側に設けられている。本実施形態の気流吹付機構３４では、８つの前眼部照明光源２１ａが環状の吹付口３４１ｂの外側において同一円周上に沿って互いに離れて設けられている。但し、前眼部照明光源２１ａの数は、特に限定されるわけではない。また、前眼部照明光源２１ａの設置形態は、被検眼Ｅの前眼部を照明可能な限りにおいて特に限定されるわけではない。
【００７７】
角膜形状測定用リング状指標投影光源４６ａは、気流吹付ノズル３４ｂの環状の吹付口３４１ｂの外側に設けられている。本実施形態の気流吹付機構３４では、角膜形状測定用リング状指標投影光源４６ａは、対物レンズ４１ｈからみてＸ軸方向の負側に設けられている。角膜形状測定用リング状指標投影光源４６ａは、角膜Ｅｃの形状の測定のために被検眼Ｅ（角膜Ｅｃ）に向かって角膜形状測定用リング状指標光を発光する発光部として機能する。なお、角膜形状測定用リング状指標投影光源４６ａの数は、特に限定されるわけではない。また、角膜形状測定用リング状指標投影光源４６ａの設置形態は、被検眼Ｅの角膜Ｅｃに角膜形状測定用リング状指標光を投影可能な限りにおいて特に限定されるわけではない。
【００７８】
撮像素子４６ｂは、気流吹付ノズル３４ｂの環状の吹付口３４１ｂの外側に設けられ、被検眼Ｅの角膜Ｅｃで反射される角膜形状測定用リング状指標の光束を受光する。本実施形態の気流吹付機構３４では、撮像素子４６ｂは、対物レンズ４１ｈからみてＸ軸方向の正側に設けられている。撮像素子４６ｂは、角膜Ｅｃの形状の測定のために角膜Ｅｃからの反射光（反射光束）を受光する受光部として機能し、受光した光量に基づいた画像信号を制御部３３に出力する。
【００７９】
撮像素子４６ｂは、角膜Ｅｃの圧平状態を検出可能とされていてもよい。つまり、撮像素子４６ｂは、圧平検出光学系２４のセンサ２４ｃ（図３参照）を兼ねていてもよい。この場合には、撮像素子４６ｂは、角膜形状測定用リング状指標投影光源４６ａから出射され被検眼Ｅの角膜Ｅｃの表面で反射された光を受光し、受光した光量に応じた信号を制御部３３に出力する。これによれば、撮像素子４６ｂは、被検眼Ｅの角膜Ｅｃの表面で反射された光を受光し、被検眼Ｅの角膜Ｅｃの圧平状態を検出するとともに被検眼Ｅの角膜Ｅｃの形状を検知する受光部として機能する。
【００８０】
本実施形態に係る眼科装置１０によれば、気流吹付機構３４の気流吹付ノズル３４ｂは、対物レンズ４１ｈの周囲に設けられた環状の吹付口３４１ｂから被検眼Ｅに向かって空気（流体）を吹き付け被検眼Ｅの角膜Ｅｃを圧平させる。そのため、対物レンズ４１ｈなどの光学系に気流吹付ノズル３４ｂを通すための穴を開ける必要がない。そのため、眼圧測定部２０の光学系（眼圧光学系）と、眼特性測定部４０の光学系（眼特性光学系）と、を共用させることが可能である。また、眼圧測定部２０と眼特性測定部４０とを積層配置させる必要がなく、被検眼Ｅの測定時に気流吹付ノズル３４ｂや光学系全体を移動させる駆動部を設ける必要がない。これにより、眼科装置１０の小型化を図ることができる。
【００８１】
また、気流吹付機構３４は、対物レンズ４１ｈの光軸Ｏ１の回りに螺旋状の流れを有する空気（流体）を吹付口３４１ｂから被検眼Ｅに向かって流出させることで、被検眼Ｅの角膜Ｅｃの略中心に空気を集中的に吹き付けることができる。これにより、気流吹付機構３４は、被検眼Ｅの角膜Ｅｃをより確実に圧平させることができる。
【００８２】
また、眼圧測定部２０の眼圧光学系は、眼特性測定部４０の眼特性光学系と同一とすることができるため、眼科装置１０のさらなる小型化を図ることができる。
【００８３】
さらに、被検眼Ｅの角膜Ｅｃに投影される角膜形状測定用リング状指標光を出射する発光部として機能する角膜形状測定用リング状指標投影光源４６ａと、角膜形状測定用リング状指標光が被検眼Ｅの角膜Ｅｃで反射した反射光を受光する受光部として機能する撮像素子４６ｂと、を気流吹付ノズル３４ｂの環状の吹付口３４１ｂの外側に配置させるとともに、被検眼Ｅの角膜Ｅｃの圧平状態を検出する光学系と、被検眼Ｅの角膜Ｅｃの形状を検知する光学系と、において共用させることができる。すなわち、本実施形態に係る眼科装置１０によれば、被検眼Ｅの角膜Ｅｃの圧平状態を検出するとともに被検眼Ｅの角膜Ｅｃの形状を検知する受光部として撮像素子４６ｂを機能させることができる。これにより、眼科装置１０のさらなる小型化を図ることができる。
【００８４】
次に、本発明の実施形態に係る撮影装置を、図面を参照して説明する。
なお、本実施形態に係る撮影装置１０Ａの構成要素が、図１〜図７に関して前述した本実施形態に係る眼科装置１０の構成要素と同様である場合には、重複する説明は適宜省略し、以下、相違点を中心に説明する。
【００８５】
図８は、本実施形態に係る撮影装置を説明する側面図である。
なお、図８（ａ）は、気流吹付ノズル３４ｂが吹付口３４１ｂから被検眼Ｅの角膜Ｅｃに向けて空気を吹き付ける前の状態を表す側面図である。図８（ｂ）は、気流吹付ノズル３４ｂが吹付口３４１ｂから被検眼Ｅの角膜Ｅｃに向けて空気を吹き付けているときの状態を表す側面図である。
【００８６】
本実施形態に係る撮影装置１０Ａは、被検眼Ｅなどの被写体を接写可能とされている。撮影装置１０Ａの被写体は、被検眼Ｅに限定されるわけではなく、例えば顔、花および昆虫などであってもよい。撮影装置１０Ａは、被写体を撮影する光学系を有する撮影部５０を備える。撮影部５０は、図１〜図７に関して前述した眼圧測定部２０および眼特性測定部４０と同様の構成を有し、被写体で反射された光を透過する対物レンズ４１ｈと、被写体に向かって空気（流体）を吹き付ける気流吹付機構３４と、を有する。
【００８７】
気流吹付機構３４は、図１〜図７に関して前述した通りである。すなわち、気流吹付ノズル３４ｂの吹付口３４１ｂは、対物レンズ４１ｈの周囲に環状（リング状）に設けられ、空気圧縮駆動部３４ｄから空気通路部３４ａを通して導かれた空気を被写体に向けて吹き付ける。気流吹付ノズル３４ｂの吹付口３４１ｂから被検眼Ｅの角膜Ｅｃに向かって流出した空気は、対物レンズ４１ｈの光軸Ｏ１の周りにおいて螺旋状に流れる。言い換えれば、気流吹付ノズル３４ｂの吹付口３４１ｂから被検眼Ｅの角膜Ｅｃに向かって流出した空気は、光軸Ｏ１の周りにおいてきりもみ状に流れる。さらに、言い換えれば、気流吹付ノズル３４ｂの吹付口３４１ｂから被検眼Ｅの角膜Ｅｃに向かって流出した空気は、光軸Ｏ１の周りを旋回しながら流れる。このように、気流吹付機構３４は、気流吹付ノズル３４ｂの吹付口３４１ｂから被写体に向かって流出する空気に対して光軸Ｏ１の周りに螺旋状すなわちきりもみ状の流れを形成する。これにより、本実施形態の気流吹付ノズル３４ｂは、被写体に動的変化を与えることができる。
【００８８】
具体的には、図８（ａ）および図８（ｂ）に表したように、被写体が被検眼Ｅおよび被検眼Ｅの周辺部である場合には、気流吹付ノズル３４ｂは、光軸Ｏ１の周りにおいて螺旋状に流れる空気を吹付口３４１ｂから被検眼Ｅの角膜Ｅｃに向かって吹き付けることで、被検眼Ｅの近傍に存在するまつげＥＬに動的変化を与え、まつげＥＬを上下に開くことができる。
【００８９】
図８（ａ）に表したように、気流吹付ノズル３４ｂが吹付口３４１ｂから被検眼Ｅの角膜Ｅｃに向かって空気を吹き付ける前の状態では、被検眼Ｅの近傍に存在するまつげＥＬが前眼部画像や涙液画像に写し込まれることがある。そうすると、前眼部画像や涙液画像を正確に撮影することが困難であり、前眼部や涙液を正確に検査することが困難になることがある。
【００９０】
これに対して、本実施形態に係る撮影装置１０Ａの気流吹付ノズル３４ｂは、光軸Ｏ１の周りにおいて螺旋状に流れる空気を吹付口３４１ｂから被検眼Ｅの角膜Ｅｃに向かって吹き付けることで、被検眼Ｅの近傍に存在するまつげＥＬに動的変化を与え、まつげＥＬを上下に開くことができる。そのため、まつげＥＬ等の異物が前眼部画像や涙液画像に写し込まれることを抑えることができる。これにより、前眼部画像や涙液画像を正確に撮影することが可能であり、前眼部や涙液を正確に検査することができる。
【００９１】
また、前述したように、撮影装置１０Ａの被写体は、被検眼Ｅに限定されるわけではなく、例えば顔、花および昆虫などであってもよい。このような場合には、本実施形態に係る撮影装置１０Ａは、被写体に向かって空気（流体）を吹き付け被写体に動的変化を与えているときに被写体を接写することで、例えば動作中の被写体や躍動感のある被写体を撮影することができる。例えば、撮影装置１０Ａは、花に向かって空気を吹き付け花に動的変化を与えているときに花を接写することで、花が風になびいている状態や揺れている状態の躍動感のある花を撮影することができる。あるいは、例えば、撮影装置１０Ａは、昆虫に向かって空気を吹き付け昆虫に動的変化を与えているときに昆虫を接写することで、昆虫が羽根を広げ飛び立つ瞬間の躍動感のある昆虫を撮影することができる。
【００９２】
さらに、気流吹付機構３４は、対物レンズ４１ｈの光軸Ｏ１の回りに螺旋状の流れを有する空気（流体）を吹付口３４１ｂから被写体に向かって流出させることで、被写体に対して空気を集中的に吹き付けることができる。これにより、気流吹付機構３４は、被写体に対して動的変化をより確実に与えることができる。
【００９３】
以上、本発明の実施形態について説明した。しかし、本発明は、上記実施形態に限定されず、特許請求の範囲を逸脱しない範囲で種々の変更を行うことができる。上記実施形態の構成は、その一部を省略したり、上記とは異なるように任意に組み合わせたりすることができる。
【００９４】
上記した実施形態では、第２測定部として眼圧測定部２０を搭載していたが、気流吹付機構３４が、対物レンズ４１ｈの周囲に設けられた環状の吹付口３４１ｂから被検眼Ｅや被写体に向かって空気（流体）を吹き付け被検眼Ｅの角膜Ｅｃを圧平させたり被写体に動的変化を与えたりする気流吹付ノズル３４ｂを有してさえいれば、光学的な構成、各光学部材の配置および測定原理が異なる眼圧測定部であってもよく、角膜の厚さを測定（角膜厚測定）するパキメータであってもよく、上記した実施形態に限定されるものではない。
【００９５】
上記した実施形態では、第１測定部として眼特性測定部４０を搭載していたが、気流吹付機構３４が、対物レンズ４１ｈの周囲に設けられた環状の吹付口３４１ｂから被検眼Ｅや被写体に向かって空気（流体）を吹き付け被検眼Ｅの角膜Ｅｃを圧平させたり被写体に動的変化を与えたりする気流吹付ノズル３４ｂを有してさえいれば、光学的な構成、各光学部材の配置および測定原理が異なるものであってもよく、測定の内容（種類）が異なるものであってもよく、上記した実施形態に限定されるものではない。
【符号の説明】
【００９６】
１０、１０Ａ：撮影装置、  １１：ベース、  １２：駆動部、  １２ａ：Ｙ軸駆動部分、  １２ｂ：Ｚ軸駆動部分、  １２ｃ：Ｘ軸駆動部分、  １２ｄ：支持支柱、  １２ｅ：Ｙ軸移動枠、  １２ｆ：Ｚ軸支持台、  １２ｇ：Ｚ軸移動台、  １２ｈ：Ｘ軸支持台、  １２ｉ：Ｘ軸移動台、  １３：装置本体部、  １４：表示部、  １５：顎受部、  １６：額当部、  ２０：眼圧測定部、  ２１：前眼部観察光学系、  ２１Ｄ：合焦駆動機構、  ２１ａ：前眼部照明光源、  ２１ｂ：気流吹付ノズル、  ２１ｄ、２１ｅ：ハーフミラー、  ２１ｆ：リレーレンズ、  ２１ｇ：ハーフミラー、  ２１ｈ：結像レンズ、  ２１ｉ：ＣＣＤカメラ、  ２２：ＸＹアライメント指標投影光学系、  ２２ａ：ＸＹアライメント用光源、  ２２ｂ：集光レンズ、  ２２ｃ：開口絞り、  ２２ｄ：ピンホール板、  ２２ｅ：ダイクロイックミラー、  ２２ｆ：投影レンズ、  ２３：固視標投影光学系、  ２３ａ：固視標用光源、  ２３ｂ：ピンホール板、  ２４：圧平検出光学系、  ２４ａ：レンズ、  ２４ｂ：ピンホール板、  ２４ｃ：センサ、  ２５：Ｚアライメント指標投影光学系、  ２５ａ：Ｚアライメント用光源、  ２５ｂ：集光レンズ、  ２５ｃ：開口絞り、  ２５ｄ：ピンホール板、  ２５ｅ：投影レンズ、  ２６：Ｚアライメント検出光学系、  ２６ａ：結像レンズ、  ２６ｂ：シリンドリカルレンズ、  ２６ｃ：センサ、  ３１：ＸＹアライメント検出部、  ３２：Ｚアライメント検出補正部、  ３３：制御部、  ３４：気流吹付機構、  ３４ａ：空気通路部、  ３４ｂ：気流吹付ノズル、  ３４ｃ：圧力センサ、  ３４ｄ：空気圧縮駆動部、  ４０：眼特性測定部、  ４１Ｄ：固視標移動機構、  ４１ｈ：対物レンズ、  ４３：眼屈折力測定用リング状指標投影光学系、  ４３Ｄ：指標移動機構、  ４３Ｕ：指標ユニット、  ４３ａ：眼屈折力測定用光源、  ４３ｂ：レンズ、  ４３ｃ：円錐プリズム、  ４３ｄ：リング指標板、  ４３ｅ：レンズ、  ４３ｆ：バンドパスフィルタ、  ４３ｇ：瞳リング、  ４３ｈ：穴空きプリズム、  ４３ｉ：ロータリープリズム、  ４４：受光光学系、  ４４ａ：穴部、  ４４ｂ：ミラー、  ４４ｃ：レンズ、  ４４ｄ：撮像素子、  ４６ａ：角膜形状測定用リング状指標投影光源、  ４６ｂ：撮像素子、  ５０：撮影部、  ３４１ｂ：吹付口、  Ｅ：被検眼、  ＥＬ：まつげ、  Ｅａ：角膜頂点、  Ｅｃ：角膜、  Ｅｆ：眼底、  Ｅｐ：瞳孔、  Ｏ１、Ｏ１１、Ｏ１３、Ｏ１４、Ｏ２、Ｏ３：光軸、  ｆ１：第１焦点位置、  ｆ２：第２焦点位置
【図１】
2020146095.tif 000003
【図２】
2020146095.tif 000004
【図３】
2020146095.tif 000005
【図４】
2020146095.tif 000006
【図５】
2020146095.tif 000007
【図６】
2020146095.tif 000008
【図７】
2020146095.tif 000009
【図８】
2020146095.tif 000010